【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
月経カップであって、
受器であって、前記受器は、伸展された状態において略円形の周囲を画定する弾性的に折曲可能な縁と、その中に空洞を画定する内壁表面を有する側壁と、第１の開口部を伴う前記折曲可能な縁の近位にある上部および第２の開口部を伴う底部を有する前記空洞とを有し、前記空洞は、流体を回収するように構成される、受器と、
伸長茎部であって、前記伸長茎部は、近位端および遠位端と、その間の伸長中央部分とを有し、前記近位端は、前記側壁に取り付けられる、伸長茎部と
を備え、
前記茎部は、前記第２の開口部内に着座し、それと流体シールを形成し、
前記伸長茎部の前記遠位端の操作が、引張力を前記内壁表面に印加し、それによって、前記側壁内の折曲が生成され、
前記受器は、少なくとも２つの位置、すなわち、
前記側壁内の前記折曲が前記空洞の中心に向かって内向きに延在する折曲位置と、
展開位置であって、前記折曲可能な縁が、伸展された弾性的に折曲可能な縁の前記略円形の周囲に前記上部の前記第１の開口部が共形化するように伸展される、展開位置と
を有し得る、月経カップ。
【請求項２】
前記カップの前記底部は、前記茎部との締り嵌めを形成するようにさらに構成される、請求項１に記載の月経カップ。
【請求項３】
前記茎部は、前記茎部の長さに沿った点に配置される停止部をさらに備える、請求項１に記載の月経カップ。
【請求項４】
前記カップは、シリコーン材料と、熱可塑性エラストマとから成る群から選択される材料から形成される、請求項１に記載の月経カップ。
【請求項５】
前記シールは、これが前記側壁より厚くなるような補強材料であるように構成される、請求項２に記載の月経カップ。
【請求項６】
前記シールは、ラジアルシールと、ワイパシールとから成る群から選択される、請求項２に記載の月経カップ。
【請求項７】
前記茎部は、弾性的に折曲可能なリングを備え、前記弾性的に折曲可能なリングは、溝の深度が、前記側壁の厚さを超過しないように、前記受器の前記折曲可能な縁および前記側壁の中に形成される溝と協働可能に係合するように構成され、前記リングは、前記茎部が、ユーザによって作動されて引き込まれると、前記折曲可能な縁、側壁、および内壁に対して引動するように構成される、請求項１に記載の月経カップ。
【請求項８】
前記茎部は、前記折曲可能な縁の連続的な延在部である、請求項１に記載の月経カップ。
【請求項９】
前記茎部は、前記近位端から前記遠位端を通して延在するように構成される伸長開口をさらに備え、それによって、空気圧が、前記折曲位置および展開位置のそれぞれにおいて適切に平衡され得る、請求項１に記載の月経カップ。
【請求項１０】
前記カップの除去のために圧力を均等化するための少なくとも１つの孔をさらに備える、請求項１に記載の月経カップ。
【請求項１１】
少なくとも１つの孔は、前記伸長茎部を通して配置される、請求項１０に記載の月経カップ。
【請求項１２】
前記少なくとも１つの孔は、前記上部の近傍の前記カップの前記側壁を通して配置される、請求項１０に記載の月経カップ。
【請求項１３】
前記茎部の遠位部分は、把持強化部をさらに備える、請求項１に記載の月経カップ。
【請求項１４】
前記把持強化部は、隆起と、渦巻状隆起と、ループと、リングと、独立的構造とから成る群から選択される、請求項１３に記載の月経カップ。
【請求項１５】
前記カップは、パリレンでコーティングされる、請求項１に記載の月経カップ。
【請求項１６】
前記伸長茎部の近位端は、前記受器の内壁に接続され、前記伸長中央部分は、前記遠位端が、前記受器の下方に延在するように、前記受器の前記空洞および前記底部の前記第２の開口部を通過するように構成される、請求項１に記載の月経カップ。
【請求項１７】
月経カップを製造する方法であって、
反転された月経カップを設計することであって、前記反転された月経カップは、
受器であって、前記受器は、伸展された状態において略円形の周囲を画定する弾性的に折曲可能な縁と、その中に空洞を画定する内壁表面を有する側壁と、第１の開口部を伴う前記折曲可能な縁の近位にある上部および第２の開口部を伴う底部を有する前記空洞とを有し、前記空洞は、流体を回収するように構成される、受器と、
伸長茎部であって、前記伸長茎部は、近位端および遠位端と、その間の伸長中央部分とを有し、前記近位端は、前記側壁に取り付けられる、伸長茎部と
を有し、
前記茎部は、前記第２の開口部内に着座し、それと流体シールを形成し、
前記伸長茎部の前記遠位端の操作が、引張力を前記内壁表面に印加し、それによって、前記側壁内の折曲が生成され、
前記受器は、少なくとも２つの位置、すなわち、
前記側壁内の前記折曲が前記空洞の中心に向かって内向きに延在する折曲位置と、
展開位置であって、前記折曲可能な縁が、伸展された弾性的に折曲可能な縁の前記略円形の周囲に前記上部の前記第１の開口部が共形化するように伸展される、展開位置と
を有し得る、ことと、
前記反転された月経カップ設計と整合するように構成される金型工具を取得することと、
前記金型工具を用いて前記反転された月経カップを成型することと、
前記型から前記反転された月経カップを抽出することと、
前記月経カップを所望される最終形状に逆転させることと
を含む、方法。
【請求項１８】
前記リングは、前記カップの中にオーバーモールド加工される、請求項７に記載の月経カップ。
【請求項１９】
前記茎部は、ひもであり、前記ひもは、前記カップの中に成型される、請求項１に記載の月経カップ。
【請求項２０】
前記ひもは、共成型と、オーバーモールドとから成る群から選択される方法によって、前記カップの中に成型される、請求項１９に記載の月経カップ。
【手続補正２】
【補正対象書類名】明細書
【補正対象項目名】００３３
【補正方法】変更
【補正の内容】
【００３３】
付加的実施形態および特徴が、部分的に、続く説明内に記載され、部分的に、明細書の考察の結果、当業者に明白となる、または本開示の実践によって習得され得る。本開示の性質および利点のさらなる理解が、本開示の一部を形成する、本明細書および図面の残りの部分を参照することによって実現され得る。
本発明は、例えば、以下を提供する。
（項目１）
月経カップであって、
受器であって、前記受器は、伸展された状態において略円形の周囲を画定する弾性的に折曲可能な縁と、その中に空洞を画定する内壁表面を有する側壁と、第１の開口部を伴う前記折曲可能な縁の近位にある上部と、第２の開口部を伴う底部とを有する空洞とを有し、前記空洞は、流体を回収するように構成される、受器と、
伸長茎部であって、前記伸長茎部は、近位端および遠位端と、その間の伸長中央部分とを有する、伸長茎部と
を備え、
前記茎部は、前記第２の開口部内に着座し、それと流体シールを形成し、
前記伸長茎部は、引張力が、その前記遠位端に印加されると、引張力を前記内壁表面に印加するように構成され、
前記受器は、
折曲位置であって、前記折曲可能な縁の一部が、変形され、前記上部の少なくとも一部を前記空洞の中心に向かって内向きに延在させる、折曲位置と、
展開位置であって、前記折曲可能な縁が、伸展された弾性的に折曲可能な縁の前記略円形の周囲に前記上部の第１の開口部が共形化するように伸展される、展開位置と
に構成され得る、月経カップ。
（項目２）
前記カップの底部はさらに、前記茎部との締り嵌めを形成するように構成される、項目１に記載の月経カップ。
（項目３）
前記茎部はさらに、前記茎部の長さに沿った点に配置される停止部を備える、項目１に記載の月経カップ。
（項目４）
前記カップは、シリコーン材料と、熱可塑性エラストマとから成る群から選択される材料から形成される、項目１に記載の月経カップ。
（項目５）
前記シールは、これが前記側壁より厚くなるような補強材料であるように構成される、項目２に記載の月経カップ。
（項目６）
前記シールは、ラジアルシールと、ワイパシールとから成る群から選択される、項目２に記載の月経カップ。
（項目７）
前記茎部は、弾性的に折曲可能なリングを備え、前記弾性的に折曲可能なリングは、溝の深度が、前記側壁の厚さを超過しないように、前記受器の前記折曲可能な縁および側壁の中に形成される溝と協働可能に係合するように構成され、前記リングは、前記茎部が、ユーザによって作動され、引き込まれると、前記折曲可能な縁、側壁、および内壁に対して引動するように構成される、項目１に記載の月経カップ。
（項目８）
前記茎部は、前記折曲可能な縁の連続的な延在部である、項目１に記載の月経カップ。
（項目９）
前記茎部はさらに、前記近位端から前記遠位端を通して延在するように構成される伸長開口を備え、それによって、空気圧が、前記折曲位置および展開位置のそれぞれにおいて適切に平衡され得る、項目１に記載の月経カップ。
（項目１０）
前記カップの除去のために圧力を均等化するための少なくとも１つの孔をさらに備える、項目１に記載の月経カップ。
（項目１１）
少なくとも１つの孔は、前記伸長茎部を通して配置される、項目１０に記載の月経カップ。
（項目１２）
前記少なくとも１つの孔は、前記上部の近傍の前記カップの側壁を通して配置される、項目１０に記載の月経カップ。
（項目１３）
前記茎部の遠位部分はさらに、把持強化部を備える、項目１に記載の月経カップ。
（項目１４）
前記把持強化部は、隆起と、渦巻状隆起と、ループと、リングと、独立的構造とから成る群から選択される、項目１３に記載の月経カップ。
（項目１５）
前記カップは、パリレンでコーティングされる、項目１に記載の月経カップ。
（項目１６）
前記伸長茎部の近位端は、前記受器の内壁に接続され、前記伸長中央部分は、前記遠位端が、前記受器の下方に延在するように、前記受器の空洞および底部の第２の開口部を通過するように構成される、項目１に記載の月経カップ。
（項目１７）
月経カップのためのアプリケータツールであって、
円筒形本体であって、前記円筒形本体は、その上部の近傍に円錐形空洞を画定する外壁と、輪郭が形成される内壁とを有する、円筒形本体と、
少なくとも２つの伸長パドルであって、前記少なくとも２つの伸長パドルは、前記円筒形本体と摺動自在に係合され、近位端と、遠位端とを有し、前記伸長パドルは、前記近位端の近傍に接続され、前記遠位端において分離され、前記パドルの近位端は、月経カップの前記本体と係合するように構成される、少なくとも２つの伸長パドルと、
アクチュエータ機構であって、前記アクチュエータ機構は、遠位端と、近位端とを有し、前記円筒形本体と摺動自在に係合し、それによって、前記遠位端の開口部が、前記円筒形本体を通して近位に摺動されると、月経カップ茎部と係合し、前記茎部上で干渉して閉鎖するように構成され、前記アクチュエータ機構は、
挿入および除去位置であって、前記月経カップとの干渉係合が、前記機構の前記カップから遠位の軸方向変位を用いた前記カップの折曲を引き起こす、挿入および除去位置と、
展開位置であって、前記アクチュエータ機構が、前記カップとの前記係合を解放し得、前記パドルが、上向きの運動で摺動され、前記カップを挿入するにつれて、前記少なくとも２つのパドルが、前記カップを同心円状に受けるように構成され得る、展開位置と
を有する、アクチュエータ機構と
を備える、アプリケータツール。
（項目１８）
前記円筒形本体はさらに、その前記内壁上に配置される複数の隆起を備え、前記パドルおよび前記アプリケータとの前記係合が、月経カップとの接触をもたらすように、前記アプリケータの上部の近傍に収縮面積を画定するように構成される、項目１７に記載のアプリケータツール。
（項目１９）
前記アクチュエータ機構は、前記収縮面積を通過する広げられたプラスチック茎部であり、最大遠位位置は、最大半径方向開口部に関連し、最大近位位置は、最小半径方向開口部に関連する、項目１８に記載のアプリケータツール。
（項目２０）
月経カップを挿入する方法であって、
月経カップを取得することと、
アプリケータを取得することであって、前記アプリケータは、
円筒形本体であって、前記円筒形本体は、その上部の近傍に円錐形空洞を画定する外壁と、輪郭が形成される内壁とを有する、円筒形本体と、
少なくとも２つの伸長パドルであって、前記少なくとも２つの伸長パドルは、前記円筒形本体と摺動自在に係合され、近位端と、遠位端とを有し、前記伸長パドルは、前記近位端の近傍に接続され、前記遠位端において分離され、前記パドルの近位端は、月経カップの前記本体と係合するように構成される、少なくとも２つの伸長パドルと、
アクチュエータ機構であって、前記アクチュエータ機構は、遠位端と、近位端とを有し、前記アクチュエータ機構が、前記伸長パドルの間に同心円状に配置され、前記円筒形本体の上部の近傍の月経カップと干渉して係合するように、前記円筒形本体および前記少なくとも２つのパドルと摺動自在に係合するように構成され、前記アクチュエータ機構は、
挿入および除去位置であって、前記月経カップとの前記干渉係合が、前記機構の前記カップから遠位の軸方向変位を用いた、前記カップの折曲を引き起こす、挿入および除去位置と、
展開位置であって、前記アクチュエータ機構が、前記カップとの前記係合を解放し得、前記パドルが、上向きの運動で摺動され、前記カップを挿入するにつれて、前記少なくとも２つのパドルが、前記カップを同心円状に受けるように構成され得る、展開位置と
を有する、アクチュエータ機構と
を備える、ことと、
前記月経カップを前記アプリケータの中に折曲することと、
前記アプリケータを用いて前記月経カップを展開することと
を含む、方法。
（項目２１）
月経カップを製造する方法であって、
反転された月経カップを設計することであって、前記反転された月経カップは、
受器であって、前記受器は、伸展された状態において略円形の周囲を画定する弾性的に折曲可能な縁と、その中に空洞を画定する内壁表面を有する側壁と、第１の開口部を伴う前記折曲可能な縁の近位にある上部と第２の開口部を伴う底部とを有する空洞とを有し、前記空洞は、流体を回収するように構成される、受器と、
伸長茎部であって、前記伸長茎部は、近位端および遠位端と、その間の伸長中央部分とを有する、伸長茎部と
を有し、
前記茎部は、前記第２の開口部内に着座し、それと流体シールを形成し、
前記伸長茎部は、引張力が、その前記遠位端に印加されると、引張力を前記内壁表面に印加するように構成され、
前記受器は、
折曲位置であって、前記折曲可能な縁の一部が、変形され、前記上部の少なくとも一部を前記空洞の中心に向かって内向きに延在させる、折曲位置と、
展開位置であって、前記折曲可能な縁が、前記上部の第１の開口部が、伸展された弾性的に折曲可能な縁の略円形の周囲に共形化するように伸展される、展開位置と
に構成され得る、ことと、
前記反転された月経カップ設計と整合するように構成される金型工具を取得することと、
前記金型工具を用いて前記反転された月経カップを成型することと、
前記型から前記反転された月経カップを抽出することと、
前記月経カップを所望される最終形状に逆転させることと
を含む、方法。
（項目２２）
前記リングは、前記カップの中にオーバーモールド加工される、項目７に記載の月経カップ。
（項目２３）
前記茎部は、ひもであり、前記ひもは、前記カップの中に成型される、項目１に記載の月経カップ。
（項目２４）
前記ひもは、共成型と、オーバーモールドとから成る群から選択される方法によって、前記カップの中に成型される、項目２３に記載の月経カップ。